(57)【要約】【課題】  低コスト且つ安定した品質で，一方向のリード端子を持つ磁電変換素子を実装基板に対し垂直方向に実装した電流センサを提供する。【解決手段】  一方向のリード端子を持つ磁電変換素子のリード端子を略直角に折り曲げて素子支持部を形成し、形成した前記素子支持部の先端部を更に実装基板側へ略直角に折り曲げ、実装基板に設けた実装用リード端子挿入孔に挿入して磁電変換素子の実装位置が固定できる位置決め用曲げ部を設けた。  また，磁電変換素子を実装基板に対し垂直方向に実装するため，磁電変換素子のリード端子を略直角に折り曲げて形成した素子支持部の両端を，実装基板面上にハの字状に成形し、磁電変換素子の自立安定性を持たせた。【選択図】図２
2013024851.tif 000002
【特許請求の範囲】
【請求項１】
樹脂ケースに収納され，被測定電流が流れる一次導体を取り囲むように配置されたギャップを有する環状磁性体コアと，前記ギャップ内に配置された一方向のリード端子を持つ磁電変換素子と，磁電変換素子の駆動回路や出力増幅回路などの電気回路が形成された実装基板とを備えた電流センサにおいて，前記磁電変換素子のリード端子を略直角に折り曲げて素子支持部を形成し、形成した素子支持部のうち、少なくとも一箇所以上の素子支持部の先端部を更に前記実装基板側へ略直角に折り曲げて形成した位置決め用曲げ部を、実装基板に設けた実装用リード端子挿入孔に挿入して実装したことを特徴とする電流センサ。
【請求項２】
樹脂ケースに収納され，被測定電流が流れる一次導体を取り囲むように配置されたギャップを有する環状磁性体コアと，前記ギャップ内に配置された一方向のリード端子を持つ磁電変換素子と，磁電変換素子の駆動回路や出力増幅回路などの電気回路が形成された実装基板とを備えた電流センサにおいて，前記磁電変換素子のリード端子を略直角に折り曲げて形成した素子支持部のうち、両端に位置する素子支持部を前記実装基板面上にハの字状に成形して実装基板に実装したことを特徴とする電流センサ。
【請求項３】
磁電変換素子のリード端子を略直角に折り曲げて素子支持部を形成し、形成した素子支持部の先端部を更に前記実装基板側へ略直角に折り曲げて形成した位置決め用曲げ部が、少なくとも一箇所以上設けられていることを特徴とする請求項２記載の電流センサ。
【発明の詳細な説明】
【技術分野】
【０００１】  この発明は，環状磁性体コアに設けたギャップ内に配置した磁電変換素子を用いて電流を検出する電流センサで、一方向のリード端子を持つ磁電変換素子を実装基板に対し垂直方向に実装する構造の電流センサに関する。
【背景技術】
【０００２】  一方向のリード端子を持つ磁電変換素子を実装基板に対し垂直方向に実装する従来の実装方法として，磁電変換素子のリード端子を略直角に折り曲げて素子支持部を形成し、その素子支持部を実装基板上に設けた実装用パッドに自立させ、表面実装でハンダ付け固定する方法が紹介されている。（例えば，特許文献１参照）
また，その他のよく知られている従来方法を図９に示す。この方法では，実装基板に磁電変換素子のリード端子を挿入するための挿入孔を形成し，その挿入孔にリード端子を挿入して、その挿入部分を表裏側からハンダ付けすることにより，磁電変換素子が実装基板に対して垂直方向に固定される。
【先行技術文献】
【特許文献】
【０００３】
【特許文献１】特開平１１−９７７６０
【発明の概要】
【発明が解決しようとする課題】
【０００４】  上記特許文献１に開示されている一方向のリード端子を持つ磁電変換素子は，その感磁面と磁界の方向とが垂直になるよう，磁電変換素子のリード端子を略直角に折り曲げて素子支持部を形成し，その素子支持部を実装基板上の実装用パッドに表面実装でハンダ付け固定している。【０００５】  また，図９に示す従来方法においては，実装基板に磁電変換素子のリード端子を挿入するための挿入孔を形成し，その挿入孔にリード端子を挿入し，その挿入部分を表裏側からハンダ付けすることにより，磁電変換素子を実装基板に対して垂直に固定する実装方法がとられている。【０００６】  特許文献１の方法においては、リフローハンダ付け工法等により実装基板表面に磁電変換素子を自立させハンダ付けを行うことになるが，磁電変換素子のリード端子の折り曲げの方向に対しては，自立安定性は確保できるものの，リード端子の折り曲げの方向に対し垂直の方向については，磁電変換素子のリード端子を折り曲げて形成された素子支持部と前記実装基板に設けられた実装用パッドとの接触面の平面度バラツキによって、磁電変換素子の自立安定性が失われ，最悪の場合ハンダが固着する前に素子が倒れてハンダ付けができなくなる恐れがある。更に構造的な位置決めが無いため，ハンダが溶融後固着する際の表面張力の作用により，実装基板への磁電変換素子の実装位置が狙いとする位置からずれ，実装後の組み立てや電気的性能に影響を及ぼす等の課題がある。【０００７】  また，実装基板に設けた挿入孔に磁電変換素子のリード端子を挿入し，その挿入部分を表裏側からハンダ付けする工法においては，前記磁電変換素子のリード端子を基板に挿入する工程，素子を実装基板面から決められた高さに固定する工程，素子挿入部分のハンダ付け工程等，製造工程が多くなりコストが高くなるという課題がある。【０００８】  本発明の目的は，一方向のリード端子を持つ磁電変換素子を安定した品質で低コストに実装基板に対し垂直方向に実装する構造の電流センサを提供することにある。
【課題を解決するための手段】
【０００９】  上記課題を解決するために，請求項１記載の電流センサは、一方向のリード端子を持つ磁電変換素子を実装基板に対し垂直方向に実装する実装方法として，磁電変換素子のリード端子を略直角に折り曲げて素子支持部を形成し、形成した素子支持部の先端部を更に実装基板側へ略直角に折り曲げ、実装基板に設けた実装用リード端子挿入孔に挿入して磁電変換素子の実装位置が固定できる位置決め用曲げ部を設けたものである。【００１０】  請求項２記載の電流センサは、磁電変換素子を実装基板に対し垂直方向に実装するため，磁電変換素子のリード端子を略直角に折り曲げて形成した素子支持部のうち両端に位置する素子支持部を，実装基板面上にハの字状に成形し、実装基板上での自立安定性を持たせたものである。
【発明の効果】
【００１１】  請求項１記載の電流センサによれば，一方向のリード端子を持つ磁電変換素子のリード端子を略直角に折り曲げて形成した素子支持部の先端部を、更に実装基板側へ略直角に折り曲げた位置決め用曲げ部を設け、実装基板に設けた実装用リード端子挿入孔に前記位置決め用曲げ部を挿入することにより，自立安定性が向上するとともに、機械的に位置ズレが生じない構造になることから，ハンダが溶融後固着する際の表面張力の作用による実装位置ズレが抑制できる。【００１２】  また，磁電変換素子の自立安定性が向上することにより、リフローハンダ付けが可能となるため，実装基板に設けた挿入孔に磁電変換素子のリード端子を挿入し，その挿入部分を表裏側からハンダ付けする従来の工法に比較し、製造コストを低減する効果がある。【００１３】  請求項２記載の電流センサによれば，一方向のリード端子を持つ磁電変換素子のリード端子を略直角に折り曲げて形成した素子支持部のうち、両端に位置する素子支持部を実装基板面上にハの字状に成形したので、磁電変換素子の自立安定性を維持することができ，ハンダが固着する前に実装基板上で該磁電変換素子が倒れてハンダ付けが出来なくなる事態を回避することができる。また，磁電変換素子の自立安定性が向上し、請求項１と同様にリフロー工程でハンダ付けすることが可能となるため，実装基板に設けた挿入孔にリード端子を挿入し，その挿入部分を表裏側からハンダ付けする従来の工法に比較し、製造コストを低減する効果がある。
【図面の簡単な説明】
【００１４】
【図１】本発明の実施形態１による電流センサの構成例を示す断面図である。
【図２】本発明の実施形態１による磁電変換素子の実装形態を示す側面図である。
【図３】本発明の実施形態１による磁電変換素子の実装形態を示す正面図である。
【図４】本発明の実施形態１による磁電変換素子の斜視図である。
【図５】本発明の実施形態１による磁電変換素子の実装方法を示す組立斜視図である。
【図６】本発明の実施形態２による磁電変換素子の実装形態を示す上面図である。
【図７】本発明の実施形態２による磁電変換素子の実装形態を示す正面図である。
【図８】本発明の実施形態３による磁電変換素子の斜視図である。
【図９】従来の実施例を示す側面図である。
【発明を実施するための形態】
【００１５】実施の形態１
図１から図５は，この本発明の実施形態１による電流センサの構成例および電流センサの磁電変換素子を示す。図１は電流センサの構造を示す断面図，図２は磁電変換素子の実装形態を示す側面図，図３は磁電変換素子の実装形態を示す正面図，図４は磁電変換素子の斜視図，図５磁電変換素子の組立方法を示す斜視図はである。
図１に於いて，樹脂ケース１３内には被測定電流が流れる一次導体８を取り囲むように、エアギャップ１１を有する環状磁性体コア９が収納され、更に前記エアギャップ１１内には，磁電変換素子１の感磁面１２が一次導体８に流れる被測定電流によりエアギャップ１１内に発生する磁界１０の方向に対し垂直方向に配置されている。
【００１６】  このように構成される電流センサにおいては，磁電変換素子１の駆動やその出力を所定の値に増幅するなどの目的で，磁電変換素子１は駆動回路や増幅回路が形成された実装基板６に実装されるが，前述の構成とするためには，図２〜図５に示すように一方向のリード端子を持つ磁電変換素子１は実装基板６に対し直角方向に実装することが必要となる。
【００１７】  本発明の実施形態１による電流センサでは，一方向のリード端子を持つ磁電変換素子１のリード端子２を，所定の高さになる位置で略直角に折り曲げて素子支持部３が形成され，更に少なくとも一箇所以上の素子支持部の先端部分を実装基板６の側へ略直角に折り曲げて位置決め用曲げ部４が形成されている。
前記位置決め用曲げ部４を実装基板６の所定の位置に設けた実装用リード端子挿入孔７に挿入することにより，磁電変換素子１の実装位置が固定され，且つ自立安定性を維持した状態で素子支持部３を実装基板６に設けられた実装用パッド５にはんだ付け固定することができる。
尚，実装用リード端子挿入孔７はスルーホールでもキリ穴でも同様な効果が期待できる。
【００１８】実施の形態２
図６および図７は，本発明の実施形態２による電流センサの磁電変換素子１の実装基板６への実装形態を示す上面図および正面図である。
実施形態２では、一方向のリード端子を持つ磁電変換素子１のリード端子２を，所定の高さになる位置で略直角に折り曲げて素子支持部３を形成し、更に形成した両端の素子支持部３ａ，３ｃを実装基板６の実装面にハの字状に成形し，磁電変換素子１の自立安定性を持たせたものである。
磁電変換素子１の外郭端面より外側に位置する程度に曲げてハの字状に成形した素子支持部３ａ，３ｃ、並びに前記外郭の中央に位置するよう形成した素子支持部３ｂは、それぞれの成形形状に合わせ実装基板６に設けられた実装パッド５ａ，５ｃおよび５ｂに安定的に自立し，それぞれはんだ付け固定される。
上記のように素子支持部３ａ，３ｃを実装基板６の実装面にハの字状に形成することで，自立安定性の維持と実装時の位置ズレ抑制が期待できる。
【００１９】実施の形態３
図８は実施形態３による電流センサの磁電変換素子１の斜視図である。本実施形態に於いては，磁電変換素子１の外郭中央に位置する素子支持部３ｂの先端部分に位置決め用曲げ部４ｂを設け，実装基板６の所定の位置に設けた実装用リード端子挿入孔７に挿入することにより、磁電変換素子１の自立安定性と位置ズレを抑制している。
両側の素子支持部３ａ，３ｃには位置決め用曲げ部４を形成しないので，実施の形態１に比較し曲げ加工工数を減らすことができ，更に実装基板６の実装用リード端子挿入孔７への挿入箇所が１箇所だけなので容易に挿入することができ，位置決め効果を損なうことなく，より低コストで磁電変換素子１を実装基板６へ実装することが可能となる。
尚、実施の形態３は，磁電変換素子１の外郭中央に位置する素子支持部３ｂの一箇所のみ位置決め用曲げ部４ｂを設けたが，それに限るものではなく，素子支持部３ａ，３ｂ，３ｃのいずれか一箇所または二箇所に位置決め用曲げ部４を設けても同様の効果が得られる。
【００２０】  本発明による実施形態１，２および３の電流センサの磁電変換素子１は，リード端子２が全て３極の場合を示したが，３極以上の構成に於いても同様の考え方で具現化することが可能である。
【符号の説明】
【００２１】１  磁電変換素子，２  リード端子，３  素子支持部，４  位置決め用曲げ部，５  実装用パッド，６  実装基板，７  実装用リード端子挿入孔，８  一次導体，９  環状磁性体コア，１０  磁界，１１  ギャップ，１２  感磁面，１３  樹脂ケース，１４  ソルダレジスト，１５  ハンダ
【図１】
2013024851.tif 000003
【図２】
2013024851.tif 000004
【図３】
2013024851.tif 000005
【図４】
2013024851.tif 000006
【図５】
2013024851.tif 000007
【図６】
2013024851.tif 000008
【図７】
2013024851.tif 000009
【図８】
2013024851.tif 000010
【図９】
2013024851.tif 000011